(57)【要約】【課題】  印刷前のユーザの印刷イメージと実際の印刷結果との齟齬を防止可能な印刷システムおよび印刷システムの制御方法を提供する。【解決手段】  データ作成装置２で作成した印刷データに基づいて、印刷装置３に印刷を行わせる印刷システム１において、印刷システム１に接続可能な複数種の印刷装置３は、固有の機種情報を備え、データ作成装置２は、入力データを編集して印刷データを作成する編集機能と、複数種類の印刷装置が有する全機種情報と編集機能とを、印刷機能に基づいて関連付けたデータベースと、接続した印刷装置３の機種情報を取得する機種情報取得手段９１と、データベースに基づいて、取得した機種情報から印刷装置の非サポート編集機能を特定する機能特定手段９３と、非サポート編集機能の使用を制限する機能制限手段９４と、を備える。【選択図】  図７
2005092397.tif 000002
【特許請求の範囲】
【請求項１】
インタフェースを介し、データ作成装置に対して印刷機能の異なる複数種類の印刷装置を接続可能に構成され、前記データ作成装置で作成した印刷データに基づいて、前記印刷装置に印刷を行わせる印刷システムにおいて、
前記複数種類の印刷装置は、機種毎に固有の機種情報を備え、
前記データ作成装置は、前記印刷データとなる入力データを入力するためのデータ入力手段と、
入力した前記入力データを編集して、前記印刷データを作成する編集機能を有するデータ編集手段と、
前記複数種類の印刷装置が有する全機種情報と前記編集機能とを、前記印刷機能に基づいて関連付けたデータベースを記憶したデータベース記憶手段と、
接続した前記印刷装置の機種情報を取得する機種情報取得手段と、
前記データベースに基づいて、取得した前記機種情報から接続した前記印刷装置の前記印刷機能によりサポートされていない前記編集機能を非サポート編集機能として特定する機能特定手段と、
特定した前記非サポート編集機能の使用を制限する機能制限手段と、を備えたことを特徴とする印刷システム。
【請求項２】
前記データ編集手段は、前記編集機能を表示画面に表示させ、
前記機能制限手段は、前記表示画面上で前記非サポート編集機能の表示を制限することを特徴とする請求項１に記載の印刷システム。
【請求項３】
前記データ作成装置は、前記印刷装置を接続したときに、既に前記入力データが入力されているか否かを検出する入力データ検出手段と、
前記入力データ検出手段により前記入力データが検出された場合に、前記非サポート編集機能による編集をキャンセルするキャンセル手段と、をさらに備えたことを特徴とする請求項１または２に記載の印刷システム。
【請求項４】
前記データ作成装置は、前記非サポート編集機能による編集をキャンセルするか否かを選択するキャンセル選択手段をさらに備えたことを特徴とする請求項３に記載の印刷システム。
【請求項５】
前記データ編集手段は、複数種の編集機能を有しており、
前記データ作成装置は、キャンセルした前記非サポート編集機能に代えて、前記印刷装置にサポートされる代替の編集機能を設定する代替機能設定手段をさらに備えたことを特徴とする請求項３または４に記載の印刷システム。
【請求項６】
前記データ作成装置は、前記非サポート編集機能の代替設定を行うか否かを選択する代替設定選択手段をさらに備えたことを特徴とする請求項５に記載の印刷システム。
【請求項７】
前記データ作成装置は、前記非サポート編集機能による編集を変更したことを表示する設定変更表示手段をさらに備えたことを特徴とする請求項３ないし６のいずれかに記載の印刷システム。
【請求項８】
インタフェースを介し、データ作成装置に対して印刷機能の異なる複数種類の印刷装置を接続可能に構成され、前記データ作成装置で作成した印刷データに基づいて、前記印刷装置に印刷を行わせる印刷システムの制御方法であって、
前記複数種類の印刷装置は、それぞれ固有の機種情報を備え、
前記データ作成装置は、入力した入力データを編集して印刷データを作成する編集機能を有すると共に、前記複数種類の印刷装置が有する全機種情報と前記編集機能とを、前記印刷機能に基づいて関連付けて記憶したものにおいて、
前記データ作成装置は、接続した前記印刷装置の前記機種情報を取得し、
取得した前記機種情報から、接続した前記印刷装置の前記印刷機能によりサポートされていない前記編集機能を非サポート編集機能として特定し、
特定した前記非サポート編集機能の使用を制限することを特徴とする印刷システムの制御方法。
【発明の詳細な説明】
【技術分野】
【０００１】
本発明は、インタフェースを介して、印刷データを作成するデータ作成装置および印刷データに基づいて印刷を行う印刷装置を接続した印刷システムおよび印刷システムの制御方法に関するものである。
【背景技術】
【０００２】
従来から、パソコン等で構成されたデータ作成装置に印刷装置（プリンタ）を接続し、データ作成装置で作成した印刷データに基づいて、印刷装置に印刷を行わせる印刷システムが知られている。データ作成装置は、ディスプレイと、キーボードと、マウスと、制御装置と、を備えている。制御装置には、印刷データの入力・編集を行うための各種制御プログラムや各種変換テーブル等の制御テーブルが格納されており、ユーザは、ディスプレイで視認しながら、キーボードおよびマウス操作を行うにより、印刷データを入力・編集できるようになっている。
【特許文献１】特開平７−８９１９６号公報
【発明の開示】
【発明が解決しようとする課題】
【０００３】
ところで、データ作成装置の編集機能には、接続する印刷装置の印刷機能に依存するものがあり、接続した印刷装置の印刷機能によりサポートされていない編集機能を用いて印刷データを作成すると、期待した印刷結果が得られない場合がある。したがって、このような印刷システムにおいて、異なる印刷機能を有する複数種の印刷装置をデータ作成装置に接続可能に構成しようとすると、一部の印刷装置によってのみしかサポートされない編集機能が生じてしまい、印刷システムに接続する印刷装置によっては、印刷データが適切に印刷されないという虞が生じる。すなわち、印刷データが、接続した印刷装置によりサポートされていない編集機能を用いて作成されていた場合、作成した印刷データにより、印刷前にユーザが有する印刷イメージと、実際の印刷結果との食い違うという問題が生じる。
【０００４】
本発明はこのような問題を鑑みて為されたものであり、異なる印刷機能を有する複数種の印刷装置をデータ作成装置に接続可能な印刷システムにおいて、印刷前のユーザの印刷イメージと実際の印刷結果との齟齬を防止可能な印刷システムおよび印刷システムの制御方法を提供することを目的としている。
【課題を解決するための手段】
【０００５】
本発明の印刷システムは、インタフェースを介し、データ作成装置に対して印刷機能の異なる複数種類の印刷装置を接続可能に構成され、データ作成装置で作成した印刷データに基づいて、印刷装置に印刷を行わせる印刷システムにおいて、複数種類の印刷装置は、機種毎に固有の機種情報を備え、データ作成装置は、印刷データとなる入力データを入力するためのデータ入力手段と、入力した入力データを編集して、印刷データを作成する編集機能を有するデータ編集手段と、複数種類の印刷装置が有する全機種情報と編集機能とを、印刷機能に基づいて関連付けたデータベースを記憶したデータベース記憶手段と、接続した印刷装置の機種情報を取得する機種情報取得手段と、データベースに基づいて、取得した機種情報から接続した印刷装置の印刷機能によりサポートされていない編集機能を非サポート編集機能として特定する機能特定手段と、特定した前記非サポート編集機能の使用を制限する機能制限手段と、を備えたことを特徴とする。
【０００６】
また、本発明の印刷システムの制御方法は、インタフェースを介し、データ作成装置に対して印刷機能の異なる複数種類の印刷装置を接続可能に構成され、データ作成装置で作成した印刷データに基づいて、印刷装置に印刷を行わせる印刷システムの制御方法であって、複数種類の印刷装置は、それぞれ固有の機種情報を備え、データ作成装置は、入力した入力データを編集して印刷データを作成する編集機能を有すると共に、複数種類の印刷装置が有する全機種情報と編集機能とを、印刷機能に基づいて関連付けて記憶したものにおいて、データ作成装置は、接続した印刷装置の前記機種情報を取得し、取得した機種情報から、接続した印刷装置の印刷機能によりサポートされていない編集機能を非サポート編集機能として特定し、特定した非サポート編集機能の使用を制限することを特徴とする。
【０００７】
これらの構成によれば、接続した印刷装置の印刷機能によりサポートされない編集機能、すなわち適切な印刷結果を得られない可能性のある編集機能が非サポート編集機能として特定され、その使用が制限される。このため、入力データの編集には、接続した印刷装置によりサポートされた編集機能のみが用いられ、非サポート編集機能が用いられることがない。
【０００８】
この場合、データ編集手段は、編集機能を表示画面に表示させ、機能制限手段は、表示画面上で非サポート編集機能の表示を制限することが好ましい。
【０００９】
この構成によれば、非サポート編集機能の表示が制限されるため、非サポート編集機能の使用を制限することができるとともに、ユーザが誤って非サポート編集機能の選択することを防止して、ユーザの利便性を向上させることができる。
【００１０】
この場合、データ作成装置は、印刷装置を接続したときに、既に入力データが入力されているか否かを検出する入力データ検出手段と、入力データ検出手段により入力データが検出された場合に、非サポート編集機能による編集をキャンセルするキャンセル手段と、をさらに備えることが好ましい。また、この場合、データ作成装置は、非サポート編集機能による編集をキャンセルするか否かを選択するキャンセル選択手段をさらに備えることが好ましい。
【００１１】
この構成によれば、印刷装置の接続前、すなわち非サポート編集機能の使用制限が行われる前に入力データの入力が為され、入力データの編集に非サポート編集機能による編集が行われている場合でも、これをキャンセルすることができる。したがって、接続した印刷装置にサポートされるように印刷データを変換することができ、ユーザの印刷イメージと実際の印刷結果との食い違いを防止可能となる。また、キャンセル選択手段を備えることにより、一方的に非サポート編集機能の編集設定がキャンセルされず、ユーザの選択に基づいて、非サポート編集機能による編集設定をキャンセルすることができる。
【００１２】
この場合、データ編集手段は、複数種の編集機能を有しており、データ作成装置は、キャンセルした非サポート編集機能に代えて、印刷装置にサポートされる代替の編集機能を設定する代替機能設定手段をさらに備えることが好ましい。また、この場合、データ作成装置は、非サポート編集機能の代替設定を行うか否かを選択する代替設定選択手段をさらに備えることが好ましい。
【００１３】
この構成によれば、キャンセルした非サポート編集機能の代わりに、接続した印刷装置にサポートされる代替の編集機能により入力データを編集することができる。したがって、ユーザが、キャンセルした非サポート編集機能による編集でなくても、入力データに何らかの編集を施したい場合などには、ユーザの利便性および操作性を向上させることができる。また、この場合、代替設定選択手段を備えることにより、ユーザの非サポート編集機能の代替設定の要否に合わせ、代替設定を行うことができるため、より利便性および操作性を高めることが可能である。
【００１４】
この場合、データ作成装置は、非サポート編集機能による編集を変更したことを表示する設定変更表示手段をさらに備えることが好ましい。
【００１５】
この構成によれば、設定変更表示手段により、非サポート編集機能の編集設定が変更された旨の表示が為されるので、ユーザは、非サポート編集機能の編集設定の変更により印刷データの変換が為されたことを認知することができる。
【発明の効果】
【００１６】
以上のように、本発明の印刷システムによれば、適切な印刷結果を得られない可能性のある編集機能を非サポート編集機能の使用が制限されるため、作成した印刷データに基づくユーザの印刷イメージが、実際の印刷結果と食い違うことを防止することができる。また、非サポート編集機能の使用が制限されるため、ユーザが誤って非サポート編集機能を使用することが無く、ユーザの利便性および操作性を向上させることができる。
【発明を実施するための最良の形態】
【００１７】
以下、添付の図面を参照しながら、本発明を適用した印刷システムについて説明する。図１に示すように、本実施形態の印刷システム１は、データ作成装置２と、印刷装置３と、これらを（ＵＳＢ）接続するケーブル４と、を備えており、データ作成装置２で作成した印刷データを、印刷装置３に供給し、印刷装置３に印刷データに基づく印刷画像を印刷させるものである。この印刷システム１は、複数種類の印刷装置３を接続可能に構成されており、接続可能な印刷装置３の機種情報をデータ作成装置２に予め登録するようになっている（詳細は後述する）。
【００１８】
なお、本実施形態では、データ作成装置２と印刷装置３とをケーブル４を介して直接接続する構成であるが、インタフェースを介し、データ作成装置２および印刷装置３をネットワーク（インターネットやローカルエリアネットワーク）経由で接続させても良い。また、これらは、有線通信であるが、無線通信を利用することも可能である。
【００１９】
データ作成装置２は、パソコン等で構成されており、図２に示すように、ケーブル４を介して、印刷装置３に接続するためのＵＳＢインタフェース１１、一時的に記憶可能な記憶領域を有し、制御処理のための作業領域として使用されるＲＡＭ１２、各種記憶領域を有し、制御プログラムや各種データと併せて、作成した印刷データおよび印刷装置３の機種情報を記憶するハードディスク１３、ハードディスク１３に記憶されたプログラム等に基づいて、各種データを演算処理するＣＰＵ１４、これらを互いに接続するバス１５が備えられていると共に、キーボードやマウス等の入力装置１６、ＦＤドライブ１７やＣＤ−ＲＯＭドライブ１８等の各種ドライブ、入力した印刷データ等各種データやメッセージなどを表示するモニタディスプレイ１９等が備えられている。ハードディスク１３には、印刷データを作成するためのソフトウェア（印刷データ作成アプリケーション）がインストールされており、データ作成装置２では、印刷データ作成アプリケーションの起動によりモニタディスプレイ１９に表示される入力編集画面２１（図３参照）から、入力データの入力・編集を行うことにより、印刷データを作成できるようになっている。なお、入力データの編集を行わない場合は、入力データが印刷データとして扱われる。
【００２０】
図３に示すように、入力編集画面２１には、マウスポインタ２７と共に、入力データの入力・編集を行うための入力編集ウィンドウ２２、入力・編集結果に基づいて作成された印刷データの印刷イメージ（印刷画像のイメージ）を表示するイメージ表示ウィンドウ２３、基本操作を行うため基本操作ツールバー２４、入力データとして文字や図形などを入力するための入力ツールバー２５、入力データを編集するための編集ツールバー２６が表示される。したがって、キーボードによる入力データの入力・編集と併せ、マウス操作により、入力データの入力指示や使用する編集機能の選択設定が行えるようになっている。
【００２１】
基本操作ツールバー２４は、印刷データを新規作成するための新規作成ボタン３１、作成した印刷データを保存するための保存ボタン３２、保存した印刷データやＣＤ−ＲＯＭ等の記憶媒体５に記憶された印刷データを読み込み、入力データとして入力編集ウィンドウ２２に表示させる読込みボタン３３、入力編集ウィンドウ２２に表示中の入力データから作成された印刷データを印刷するための印刷ボタン３４等を有している。
【００２２】
入力ツールバー２５は、かな文字を入力するためのかな入力ボタン４１、直線や図形を入力するため各種図形入力ボタン４２、入力した入力データの背景に付する地紋を入力設定するための地紋設定ボタン４３等を有している。
【００２３】
編集ツールバー２６は、入力した図形の編集を行うための図形ツールバー５１、入力した文字の編集を行うための文字ツールバー５２、およびテーププリンタ（後述する）によるラベルを作成するためのラベル作成ツールバー５３で構成されている。図形ツールバー５１は、（図形の）輪郭線の種類や太さ、塗りつぶしを複数の選択肢から選択設定する３つのリストボックス６１ａ、６１ｂ、６１ｃ（プルダウンメニュー）と、図形に関する各種設定を行うためのウィンドウを表示させる図形設定ウィンドウ表示ボタン６２と、を有している。
【００２４】
文字ツールバー５２は、入力した文字のフォントやサイズを選択設定するリストボックス７１ａ、７１ｂ（プルダウンメニュー）と、入力した文字のスタイル（太字や斜体、下線付きなど）や、割付け（例えば、センタリング、右揃えなど）、縦書き・横書き設定、修飾文字（白抜きや縁取り）設定をそれぞれ行うための１４個の各種設定ボタン７２と、入力した文字に関する各種設定を行うためのウィンドウを表示させる文字設定ウィンドウ表示ボタン７３と、を有している。文字設定ウィンドウ表示ボタン７３を押す（マウスポインタ２７により選択する）と、文字設定画面７４が表示され、上記した文字のフォントやサイズ、スタイル等を設定できる他、「文字」設定機能により文字の塗りつぶし設定を、「グラデーション」設定機能により文字のグラデーション設定を、「間隔」設定機能により文字間隔の設定を行えるようになっている（図９参照）。
【００２５】
ラベル作成ツールバー５３は、作成するラベルの長さを入力した入力データに応じて自動設定する自動設定ボタン８１、作成するラベルの長さをスクロールバー８２により選択した所定長に設定する定長設定ボタン８３、（印刷データに基づいて）印刷する印刷画像の前に付す余白の長さを選択設定する余白設定リストボックス８４（プルダウンメニュー）、スクロールバー８５による選択した所定長に余白を設定するための余白設定ボックス８６の他、テーププリンタに装着されているテープ状部材Ｔ（後述する）のテープ幅を（印刷装置３との通信により）取得して、テープ幅表示ボックス８７に表示するテープ幅取得ボタン８８を有している。テープ幅表示ボックス８７には、スクロールバー８９が組み込まれており、テープ幅を手入力することも可能となっている。
【００２６】
次に印刷装置３について説明する。印刷装置３は、テーププリンタやインクジェットプリンタ、レーザープリンタ等のいずれによっても構成可能であるが、ここでは、印刷装置３としてテーププリンタを適用した場合について説明する。このテーププリンタ１０１は、印刷データに基づいてテープ状部材Ｔに印刷画像の印刷を行った後、印刷済みのテープ状部材Ｔを切断して、ラベルを作成するためのものである。
【００２７】
図４および図５に示すように、テーププリンタ１０１は、装置ケース１０２により外殻が形成されている。装置ケース１０２の前部上面には、各種入力キーを備えたキーボード１２１が形成されており、装置ケース１０２の後部上面には、その左側に開閉蓋１０３が取り付けられていると共に、その右側にはディスプレイ１３１が配設されている。また、装置ケース１０２の左側面部には、印刷済みのテープ状部材Ｔを排出するテープ排出口１０４が形成されており、テープ排出口１０４には、排出されたテープ状部材Ｔを切断するテープカッタ１５１（図示省略）が臨んでいる。また、図示省略したが、装置ケース１０２の右側面部には、ケーブル４を介し、データ作成装置２のＵＳＢインタフェース１１を接続するためのＵＳＢコネクタ１２４が設けられている。
【００２８】
図５に示すように、開閉蓋１０３の内部には、テープカートリッジＣを着脱自在に装着するカートリッジ装着部１０５が形成されており、カートリッジ装着部１０５からテープ排出口１０４にかけて、テープ状部材Ｔをテープ排出口１０４に送り出すためのテープ送り経路（図示省略）が設けられている。カートリッジ装着部１０５には、テープカートリッジＣを位置決めした状態で収容するためのカートリッジ位置決め軸１０６と共に、後述するプラテン駆動軸１４５およびリボン巻取り駆動軸１４８が回転自在に立設されている。また、カートリッジ装着部１０５には、プラテン駆動軸１４５と対峙して、印刷ヘッド１４２を有するヘッドユニット１４１（後述する）が立設している。この場合、テープ送り経路は、プラテン駆動軸１４５およびヘッドユニット１４１に挟まれるように位置している。図中の符号１４３は、ヘッドユニット１４１を覆うヘッドカバーである。
【００２９】
このテーププリンタ１０１に用いられるテープカートリッジＣは、図５に示すように、カートリッジケースＣ１により全体をカバーリングされており、テープ状部材Ｔをロール状に巻回したテープリールＣ２と、インクリボンＲをロール状に巻回したリボン繰出しリールＣ３と、繰り出したインクリボンＲを巻き取るリボン巻取りリールＣ４と、を備えている。また、テープカートリッジＣには、ヘッドユニット１４１と遊挿する貫通開口Ｃ５が形成されており、この貫通開口Ｃ５に臨むように回転自在のプラテンローラＣ６が立設されている。テープカートリッジＣをカートリッジ装着部１０５に装着すると、プラテン駆動軸１４５にプラテンローラＣ６が係合すると共に、リボン巻取り駆動軸１４８にリボン巻取りリールＣ４が係合し、テープ状部材ＴおよびインクリボンＲの送りが可能となる。
【００３０】
テープ状部材Ｔは、粘着面を有する印刷テープＴ１に剥離紙Ｔ２を積層したものであり、印刷後にラベルとして貼付できるようになっている。テープカートリッジＣには、テープ状部材Ｔの種類や幅の異なる複数種のものが用意されており、テープカートリッジＣの裏面には、これらを識別するための識別孔が複数設けられている。そして、図示省略したが、カートリッジ装着部１０５（の底板）には、テープ識別センサ１６１が配設されており、テープカートリッジＣの裏面に設けられた識別孔の配列（ビットパターン）から、テープカートリッジＣを介して、テープ状部材Ｔの種類を識別できるようになっている。
【００３１】
次に、テーププリンタ１０１の基本構成について説明する。テーププリンタ１０１は、印刷データ（各種設定情報や指令等を含む）を入力するための入力手段１１１と、テーププリンタ１０１の設定状況や入力された印刷データを表示するための表示手段１１２と、印刷データに基づいて、テープ状部材Ｔに印刷を行う印刷手段１１３と、印刷済みのテープ状部材Ｔを切断する切断手段１１４と、各種検出を行う検出手段１１５と、これら各手段を統括制御する制御手段１１６と、を備えている（図６参照）。
【００３２】
入力手段１１１は、各種入力キー１２２を有する上記のキーボード１２１と、データ作成装置２に接続するためのデータ供給インタフェース（ＤＳ−ＩＦ）１２３と、を備えており、各種入力キー１２２によりキーボード１２１から印刷データを直接入力することができると共に、ＤＳ−ＩＦ１２３を介して、外部装置（データ作成装置２）から印刷データの入出力を行うことができるようになっている。
【００３３】
表示手段１１２は、上記のディスプレイ１３１と、各種表示ランプ（図示省略）と、を有している。ディスプレイ１３１は、横６ｃｍ×縦４ｃｍに構成されており、９６ドット×６４ドットの表示画像データを表示可能な表示画面と、各種設定状況等を表示する１８個のインジケータ（図示省略）を有している。
【００３４】
印刷手段１１３は、テープカートリッジＣからテープ状部材Ｔを繰り出し送りしながら、印刷データに基づいて印刷を行うもので、ヘッドカバー１４３で覆われ、印刷ヘッド（サーマルヘッド）１４２を有するヘッドユニット１４１と、テープ状部材Ｔを繰り出しながら送っていくテープ送り機構１４４と、を備えている。図示省略したが、ヘッドユニット１４１には、ヘッドリリース機構が組み込まれており、上記した開閉蓋１０３の開閉と連動して、プラテンローラＣ６に対し、印刷ヘッド１４２を離接させることができるようになっている。具体的には、開閉蓋１０３が閉じると、貫通開口Ｃ５に臨むテープ状部材ＴおよびインクリボンＲを介してプラテンローラＣ６に印刷ヘッド１４２が押圧され、印刷ヘッド１４２の駆動によりテープ状部材Ｔに熱転写が可能な状態となる。
【００３５】
テープ送り機構１４４は、テープカートリッジＣに配設されたプラテンローラＣ６と、これに係合するプラテン駆動軸１４５と、プラテン駆動軸１４５を回転させるための送りモータ１４６と、減速歯車列を有し、送りモータ１４６の動力をプラテン駆動軸１４５に減速して伝達する送り動力伝達機構（図示省略）と、を備えている。送りモータ１４６が駆動されると、プラテン駆動軸１４５を介してプラテンローラＣ６が回転し、テープ送り経路に沿って、順次テープ状部材Ｔが送られていく。なお、送りモータ１４６の動力は、送り動力伝達機構を介して、リボン巻取り駆動軸１４８にも伝達されており、プラテン駆動軸１４５およびリボン巻取り駆動軸１４８は、互いに同期しながら回転するようになっている。
【００３６】
切断手段１１４は、印刷手段１１３のテープ送り方向下流側に配設されており、テープ送り経路に臨み、テープ状部材Ｔを切断するテープカッタ１５１と、テープカッタ１５１に切断動作させるカッタモータ１５２と、を備えている。検出手段１１５は、上記したテープ識別センサ１６１の他、装置内各部に各種センサ等を備えている。制御手段１１６は、テーププリンタ１０１の各手段に接続されており、テーププリンタ１０１全体を制御している。
【００３７】
次に、テーププリンタ１０１の主制御系について説明する。図６に示すように、テーププリンタ１０１は、外部（データ作成装置２）からの印刷データや各種指令等を入出力するためのデータ入出力部１７１と、ユーザとのインタフェースを行う操作部１７２と、印刷データに基づいて、テープ状部材Ｔを送りながらこれに印刷を行う印刷部１７３と、印刷済みのテープ状部材Ｔを切断する切断部１７４と、各種検出を行う検出部１７５と、各部を駆動する駆動部１７６と、これら各部に接続され、テーププリンタ１０１全体の制御を行う制御部１７７と、を備えている。
【００３８】
データ入出力部１７１は、データ供給インタフェース（ＤＳ−ＩＦ）１２３を有し、上記したＵＳＢコネクタ１２４を介してデータ作成装置２との通信を行うようになっている。なお、ＤＳ−ＩＦ１２３には、データ作成装置２からの各種データ（印刷データ等）を受信するための受信バッファ１２５が設けられている。操作部１７２は、キーボード１２１やディスプレイ１３１を有しており、ディスプレイ１３１により入力・編集結果を視認しながら、キーボード１２１により所望のキャラクタ（文字、数字、記号等）や図形等を入力し、印刷データの入力・編集や各種設定を行えるようになっている。印刷部１７３は、印刷手段１１３を有し、印刷ヘッド１４２および送りモータ１４６を相互に同期させて駆動することにより、テープ状部材ＴをテープカートリッジＣから繰り出しながら、テープ状部材Ｔに印刷を行う。切断部１７４は、切断手段１１４を有し、テープ状部材Ｔを所定の位置で切断する。検出部１７５は検出手段１１５を有しており、テープ識別センサ１６１等の各種センサが含まれている。駆動部１７６は、ディスプレイ１３１を表示させるためのディスプレイドライバ１８１、印刷ヘッド１４２を駆動するためのヘッドドライバ１８２、各種モータ（送りモータ１４６やカッタモータ１５２など）を駆動するためのモータドライバ１８３等の各種ドライバを有している。
【００３９】
制御部１７７は、ＣＰＵ１９１、ＲＯＭ１９２、ＲＡＭ１９３、周辺制御回路（Ｐ−ＣＯＮ）１９４を備えており、これらは互いに内部バス１９５により接続されている。ＲＯＭ１９２は、テーププリンタ１０１に対して固有に付された機種情報やシリアル番号など、テーププリンタ１０１を個別に識別するための識別情報を記憶する識別情報記憶領域と、ＣＰＵ１９１で処理する制御プログラムを記憶する制御プログラム領域の他、装置内で用意されている文字等（数字、記号、図形等）のフォントデータや、色変換テーブル、文字修飾テーブルなどを含んだ制御データを記憶する制御データ領域と、を有している。なお、ここにいう機種情報とは、テーププリンタ、インクジェットプリンタといったように、単なる印刷装置の種類だけではなく、その中に含まれるバリエーションをも示すものである。
【００４０】
ＲＡＭ１９３は、入力された印刷データを記憶する印刷データ領域の他、印刷データに基づいて作成され、ディスプレイ１３１に表示させる表示画像データを記憶する表示画像データ領域、印刷データに基づいて作成され、印刷のための印刷画像データを記憶する印刷画像データ領域、各種バッファ領域、各種フラグ・レジスタ群などを有し、制御処理のための作業領域として使用される。
【００４１】
Ｐ−ＣＯＮ１９４には、ＣＰＵ１９１の機能を補うと共に、周辺回路とのインタフェース信号を取り扱うための論理回路が、ゲートアレイやカスタムＬＳＩなどにより構成されて組み込まれている。このため、Ｐ−ＣＯＮ１９４は、検出部１７５の各種センサやキーボード１２１、ＤＳ−ＩＳ１２４に接続され、データ作成装置２やテーププリンタ１０１各部からの印刷データや各種検出信号などをそのまま、あるいは加工して内部バス１９５に取り込むと共に、ＣＰＵ１９１と連動して、ＣＰＵ１９１等から内部バス１９５に出力されたデータや制御信号をデータ作成装置２やテーププリンタ１０１の駆動部１７６に出力している。ＣＰＵ１９１は、ＲＯＭ１９２内の制御プログラムに従って、Ｐ−ＣＯＮ１９４を介して各種検出信号、各種指令、各種データ等を入力し、ＲＡＭ１９３内の各種データ等を処理した後、Ｐ−ＣＯＮ１９４を介して駆動部１７６に制御信号を出力する。
【００４２】
ここで、データ作成装置２により作成した印刷データをテーププリンタ１０１で印刷する場合の制御処理について説明する。印刷データを作成した後、データ作成装置２の入力編集画面２１の印刷ボタン３４が選択されると、ＵＳＢインタフェース１１を介してテーププリンタ１０１に対して印刷データが送信される。そして、ＤＳ−ＩＦ１２３の受信バッファ１２５に印刷データが一旦記憶されると共に、Ｐ−ＣＯＮ１９４を介して印刷処理命令がＣＰＵ１９１に入力される。そして、ＲＯＭ１９２の制御プログラムに基づいて、印刷データから印刷画像データが展開されると共に、印刷画像データに基づいた制御信号がＣＰＵ１９１からＰ−ＣＯＮ１９４を介して駆動部１７６に出力される。これにより、印刷ヘッド１４２およびテープ送り機構１４４（送りモータ１４６）が同期して駆動されると共に、テープ送り完了後、所定のタイミングでカッタモータ１５２が駆動され、印刷画像を印刷したラベルが作成される。
【００４３】
ところで、データ作成装置２には多様な編集機能が用意されており、入力編集画面２１から、入力データに対して様々な編集加工を行えるようになっている。しかしながら、上述したように印刷システム１には複数種類の印刷装置３を接続可能であり、印刷機能が異なる複数種類の印刷装置３を接続することが考えられる。このような場合、編集機能によっては、接続した印刷装置３の印刷機能によりサポートされておらず、サポートされていない編集機能（非サポート編集機能）を用いて印刷データを作成すると、データ作成装置２（イメージ表示ウィンドウ２３）に表示された印刷イメージと印刷装置３による実際の印刷結果との食い違いが生じる。そこで、本実施形態の印刷システム１では、印刷装置３の接続後には、接続した印刷装置３に応じて、データ作成装置２の非サポート編集機能の使用を制限することにより、斯かる食い違いが生じることを防止できるようになっている。
【００４４】
一方、印刷装置３の接続前に印刷データが作成されていた場合、印刷データの作成時に非サポート編集機能の特定および使用制限を行うことができない。すなわち、印刷装置３の接続前に作成した印刷データは、非サポート編集機能を用いて作成されていることがあり、作成した印刷データの印刷イメージと実際の印刷結果との食い違いが生じ得る。そこで、本実施形態では、印刷装置３の接続前に印刷データが作成されている場合には、接続した印刷装置３に合わせて印刷データの変換（読替え）を行い、印刷イメージと実際の印刷結果との食い違いによる印刷ミスをより確実に低減可能となっている。
【００４５】
先ず、印刷装置３の接続後による編集機能の制限方法について説明する。上述したように、データ作成装置２には、接続可能な全印刷装置３の機種情報が予め登録されている。登録された各機種情報には、当該機種情報を有する印刷装置３の印刷機能に基づいて、データ作成装置２が有する編集機能が関連付けられている。本実施形態では、編集機能は、接続可能な全ての印刷装置３にサポートされ、複数種の編集機能からなる共通編集機能と、接続する印刷装置３（の印刷機能）によりサポートの有無が異なり、複数種の編集機能からなる個別編集機能と、に分類されており、登録された各機種情報は、個別編集機能を構成する複数種の編集機能にのみ関連付けられている。より具体的には、各機種情報に対応させて、個別編集機能の各編集機能が、当該機種情報を有する印刷装置３の非サポート編集機能か否かを示すデータベースが記憶されている。このように、共通編集機能のみを機種情報に対応させることにより、データベースのデータ量を抑えている。
【００４６】
また、データ作成装置２は、印刷装置３の機種情報を取得する機種情報取得手段９１を有しており、取得した機種情報と、上記データベースとに基づいて編集機能の制限が行われる。図７を参照して、印刷装置３接続後の編集機能の制限における一連のフローを説明する。同図に示すように、印刷システム１に印刷装置３が接続される（Ｓ１）と、機種情報取得手段９１が機種情報取得要求を送信して、印刷装置３から機種情報を取得する（Ｓ２）。続いて、非サポート編集機能検出手段９２が、取得した機種情報に基づいてデータベースのレコードを参照し、接続した印刷装置３の非サポート編集機能の有無を検出する（Ｓ３）。非サポート編集機能の検出が為される（Ｓ３：Ｙｅｓ）と、非サポート編集機能特定手段９３により、接続した印刷装置３の非サポート編集機能を（個別編集機能から）特定する（Ｓ４）。そして、編集機能制限手段９４により、特定した非サポート編集機能に当たる編集機能の表示を制限し、非サポート編集機能の使用（または選択）を制限する（Ｓ５）。
【００４７】
なお、図示省略したが、データ作成装置２には、データ作成装置２および印刷装置３の接続を電気的に検出する接続検出センサが設けられており、この接続検出センサによる印刷装置３の接続検出信号をトリガとして、機種情報取得手段９１の機種情報取得要求が為されるようになっている。
【００４８】
次に、印刷装置３の接続前に作成した印刷データの変換方法について説明する。印刷データの変換は、印刷装置３の接続後に、印刷装置３の接続前に作成された印刷データに対して為されるものであり、図７に示すように、印刷装置３接続後の編集機能の使用制限における一連のフロー（Ｓ１〜Ｓ５）に続いて行われる。非サポート編集機能の使用が制限された（Ｓ５）後、先ず、入力データ検出手段９５により、入力編集画面２１に、入力データが既に入力されているか否かを検出する（Ｓ１１）。そして、既存の入力データが検出された場合（Ｓ１１：Ｙｅｓ）、入力データに基づく印刷データの中に編集機能の使用制限におけるフローで特定された非サポート編集機能による編集設定が含まれていないか、すなわち、非サポート編集機能の使用の有無が、非サポート編集機能使用検出手段９６によりさらに検出される（Ｓ１２）。
【００４９】
非サポート編集機能の使用が検出される（Ｓ１２：Ｙｅｓ）と、使用されている非サポート編集機能を特定し（Ｓ１３）、編集キャンセル手段９７により、特定した非サポート編集機能によって行われた印刷データの編集設定をキャンセルする（Ｓ１４）。この場合、特定した非サポート編集機能による編集設定を全て強制的にキャンセルしても良いし、特定した非サポート編集機能による編集設定をキャンセルするか否かを選択するキャンセル確認に基づいてキャンセルしても良い。また、特定した各非サポート編集機能ついて、編集設定のキャンセル確認をそれぞれ行い、キャンセルが承認された非サポート編集機能の編集設定のみをキャンセルするようにしても良い。なお、本実施形態では、印刷データに非サポート編集機能の使用を検出し、非サポート編集機能を特定した上で非サポート編集機能による編集設定のキャンセルを行っているが、非サポート編集機能の使用検出および特定を行わず、接続した印刷装置３の全非サポート編集機能による編集設定を全て取消し設定するようにしても良い。
【００５０】
非サポート編集機能の編集設定をキャンセルした（Ｓ１４）後、キャンセルした非サポート編集機能に代替編集機能となる所定の編集機能が設定されているか否かを確認し（Ｓ１５）、代替編集機能が設定されている場合（Ｓ１５：Ｙｅｓ）には、代替機能設定手段９８により、キャンセルした非サポート編集機能に代えて、代替編集機能による編集設定を行う（Ｓ１６）。なお、この場合も、非サポート編集機能の編集設定をキャンセルするときと同様、代替編集機能による編集設定を強制的に行っても良いし、代替編集機能による編集設定を行うか否かを選択できるようにしても良い。
【００５１】
これら一連の動作により、印刷データの変換が為されると共に、変換された印刷データに基づいて、入力編集画面２１の入力編集ウィンドウ２１およびイメージ表示ウィンドウ２３に表示される表示画像（印刷イメージ）も変換される。すなわち、代替編集機能による編集設定が行われた場合、印刷イメージは、代替編集機能による編集設定を反映させたものとなり、非サポート編集機能の編集設定がキャンセルされただけの場合、印刷イメージは、非サポート編集機能の編集設定を行わなかったときのものとなる。このように、印刷データの変換を行った場合には、非サポート編集機能の編集設定をキャンセルまたは変更した旨を示す設定変更表示を行うことが好ましい。
【００５２】
なお、非サポート編集機能による編集設定はできないものの、印刷データの変換が為された後も印刷データの編集は可能となっており、たとえば、代替編集機能による編集設定をキャンセルし、代替編集機能以外の編集機能による編集設定を新たに行うことも可能である。また、変換された印刷データは、（保存ボタン３２等により）新たな保存設定により既存の印刷データに置き換えられ、保存される。換言すれば、新たに保存設定するまでは、既存の印刷データは残されたままであり、既存の印刷データを繰り返し使用することが可能である。
【００５３】
また、印刷装置３の接続後に、ＣＤ−ＲＯＭやフレキシブル・ディスク（ＦＤ）等の記憶媒体５から印刷データを読み込んだ場合、印刷装置３の接続前に印刷データを作成したときと略同様の問題が生じる。このため、印刷データの読み込み時に、上記した編集機能の制限から印刷データの変換に至る一連の動作が終了している場合には、印刷装置３の接続前に印刷データを作成したときに倣って、Ｓ１２〜Ｓ１６に至る印刷データの変換動作における一連の動作が行われ、読み込んだ印刷データの変換が行われる。なお、印刷データの読み込みが印刷装置３の接続前であれば、印刷装置３の接続前に印刷データが作成された場合と同様の動作が行われ、印刷装置３の接続時にＳ１〜Ｓ１６の動作が行われる。
【００５４】
なお、データ作成装置２における各種編集機能や以上に述べた一連の動作は、印刷データ作成アプリケーションに基づいて実現されるものであり、一連の動作で用いられる各手段（機種情報取得手段９１、非サポート編集機能検出手段９２、非サポート編集機能特定手段９３、編集機能制限手段９４、入力データ検出手段９５、非サポート編集機能使用検出手段９６、編集キャンセル手段９７、代替機能設定手段９８など）は、印刷データ作成アプリケーション基づいてデータ作成装置２のＣＰＵ１４を演算処理させることにより実現させる仮想的な手段である（図２参照）。また、データベースは、ハードディスク１３に記憶されている。
【００５５】
次に、上述した編集機能の使用制限および印刷データの変換における具体的な動作について説明する。説明に用いる印刷システムは、３６０ｄｐｉの印刷解像度を有し、機種情報Ａを有するテーププリンタａと、１８０ｄｐｉの印刷解像度を有し、機種情報Ｂを有するテーププリンタｂと、を接続可能に構成されている。
【００５６】
この印刷システムでは、上記した文字設定画面７４の「文字」設定機能の塗りつぶしにより設定される「透明」塗りつぶし機能および「パターン」塗りつぶし機能、文字設定画面７４の「グラデーション」設定機能、図形の塗りつぶしに属する「グラデーション」設定機能、印刷データの背景に付す地紋設定に関する「地紋」設定機能、余白設定リストボックス８４による「自動少なめ」、「自動多め」、「多め」、「数値指定１〜９ｍｍ」が個別編集機能に分類されている。なお、「文字」設定機能の塗りつぶしには、個別編集機能である「透明」および「パターン」塗りつぶし機能の他、「べた」、「白抜き」、および「縁取り」機能が共通編集機能として備えられている。また、余白設定リストボックス８４では、共通編集機能として、「極小」、「少なめ」、「ふつう」、「数値指定の１０ｍｍ以上」が選択できるようになっている。
【００５７】
図８は、印刷システム１の個別編集機能に、機種情報ＡおよびＢを対応させたデータベースの内容を示したものである。同図に示すように、個別編集機能を構成する各編集機能は、テーププリンタａでのみサポートされるようになっている。図９は、個別編集機能を構成する各編集機能に設定された代替編集機能を示した図であり、「地紋」設定機能を除き、個別編集機能の各編集機能には代替編集機能が設定されている。
【００５８】
印刷システムにテーププリンタａを接続すると、機種情報Ａが取得される。この場合、機種情報Ａに対応する非サポート編集機能は検出されないため（図８参照）、個別編集機能の表示制限は行われない。テーププリンタａを接続したときに表示される文字設定画面を示した図１０（ａ）、図形の塗りつぶしを設定するリストボックスに表示される編集機能を示した図１１（ａ）、および余白設定リストボックスに表示される編集機能を示した図１１（ｃ）を参照して説明すると、文字設定画面７４、図形の塗りつぶしを設定するリストボックス６１ｃ、および余白設定リストボックス８４には、全ての編集機能が選択設定可能に表示される。また、テーププリンタａの接続前に、印刷データが作成されている場合においても、印刷データの変換は行われない。
【００５９】
これに対し、テーププリンタｂを接続すると、機種情報Ｂが取得され、機種情報Ｂに対応する非サポート編集機能が検出されると共に、文字の「透明」塗りつぶし機能、文字の「パターン」塗りつぶし機能、文字の「グラデーション」設定機能、図形の「グラデーション」設定機能、「地紋」設定機能、余白の「自動少なめ」設定機能、「自動多め」設定機能、「多め」設定機能、「数値指定１〜９ｍｍ」設定機能が非サポート編集機能として特定される。そして、特定されたこれら全ての編集機能の表示が制限される。
【００６０】
図１０（ｂ）、図１１（ｂ）、および図１１（ｄ）を参照して具体的に説明する。これらの図は、テーププリンタｂを接続したときの説明図であり、図１０（ｂ）は、文字設定画面を、図１１（ｂ）は、図形の塗りつぶしを設定するためのリストボックスを、図１１（ｄ）は、余白設定リストボックスを示している。文字設定画面７４では、「透明」塗りつぶし機能および「パターン」塗りつぶし機能の表示が為されないと共に、「グラデーション」設定機能の表示をグレーアウトされており、文字の編集設定に関する「透明」塗りつぶし機能、「パターン」塗りつぶし機能、および「グラデーション」設定機能の選択ができないようになっている。また、図形の塗りつぶしを設定するリストボックス６１ｃからは、「グラデーション」の表示が削除され、余白設定リストボックス８４からは、「自動少なめ」、「自動多め」、「多め」、「数値指定１〜９ｍｍ」の表示が削除されている。また、図示省略したが、「地紋」設定を行うための地紋設定ボタン４３は、グレーアウトされて表示されており、地紋設定ボタン４３が選択できないようになっている。なお、編集機能の表示制限にあたり、表示そのものを削除するか、表示をグレーアウトさせるかについては、任意に設定可能である。
【００６１】
そして、テーププリンタｂの接続前に、入力編集画面２１上に印刷データが作成されている場合には、印刷データの変換が行われる。ここでは、印刷データに文字の編集用の「グラデーション」設定機能、「地紋」設定機能、および余白設定の「自動少なめ」設定機能が用いられている場合を例に説明する。この場合、まず、非サポート編集機能の使用が検出される。続いて、図１２に示すようなキャンセル確認画面９９が表示され、非サポート編集機能による編集設定のキャンセル確認が為される。非サポート編集機能による編集設定のキャンセルが承認されると、「グラデーション」設定機能、「地紋」設定機能、および「自動少なめ」設定機能による編集設定をキャンセルすると共に、これらに代替編集機能が設定されているかを確認する。この場合、「グラデーション」設定機能、および「自動少なめ」設定機能には、代替編集機能の設定が確認され、「グラデーション」設定機能に代えて「ベタ」塗りつぶし機能による編集設定が、「自動少なめ」設定機能に代えて「少なめ」設定機能による編集設定が行われる。一方、「地紋」設定機能には、代替編集機能が設定されていないため、「地紋」設定機能による編集設定のキャンセル状態が維持される。これら非サポート編集機能による編集設定のキャンセルおよび代替編集機能による非サポート編集機能の代替により、印刷データの変換が為され、入力編集画面２１の表示画像（印刷イメージ）も変換される。
【００６２】
このように、本実施形態では、接続した印刷装置３に応じて編集機能の使用を制限することができると共に、印刷装置３の接続前に、印刷データが作成されていた場合においても、接続した印刷装置３（の印刷機能）に応じて、印刷データの変換が行われるため、入力編集画面２１に表示された印刷イメージと、実際の印刷結果とを略一致させることができ、ユーザの印刷ミスを防止可能である。また、編集機能の使用制限機能により、本実施形態の印刷システム１の拡張性を高めることが可能である。例えば、印刷装置Ａを接続可能に構成されている印刷システムに対し、異なる印刷機能を有する印刷装置Ｂを接続可能に構成しようとした場合、印刷装置Ａおよび印刷装置Ｂの印刷機能において、共通の機能と異なる印刷機能とに分け、異なる印刷機能に着目して個別編集機能を設定すればよい。かかる場合、共通の機能に関する部分については、印刷装置Ａにおける設定をベースとすることができるため、印刷システムを効率よく構築することが可能となる。
【００６３】
なお、本実施形態では、データ作成装置２に１台の印刷装置３を接続した印刷システム１について説明したが、データ作成装置２に複数の印刷装置３を接続することも可能である。この場合、２台目以降の印刷装置３を接続する度に、上述した編集機能の使用制限から印刷データの変換に至る一連の動作が略同様に行われるが、非サポート編集機能として使用の制限がされていた編集機能から、新たに接続した印刷装置３によりサポートされる編集機能を特定し、その使用制限を解除する動作が付け加えられる。すなわち、既に接続された印刷装置３および新たに接続した印刷装置３に共通する非サポート編集機能の使用のみを制限するようにする。また、印刷データを変換するときには、変換前の既存の印刷データに対して、接続した複数の印刷装置３に共通する非サポート編集機能による編集設定のみを変換するようにする。
【００６４】
例えば、既に接続されている印刷装置３の非サポート編集機能として、編集機能ａ、ｂ、ｃの使用が制限されている印刷システム１に、編集機能ｂをサポートする印刷装置３を新たに接続した場合、編集機能ｂが特定されると共に、編集機能ｂの使用制限が解除される。そして、編集機能ｂをサポートする印刷装置３の接続前に、印刷データ（入力データ）が存在するか否かを確認し、印刷データが存在する場合には、印刷データの作成にあたり、編集機能ｂによる編集設定のキャンセルまたは編集機能ｂの代替設定が行われたか否かについてさらに確認する。編集機能ｂによる編集設定のキャンセル・代替が行われていた場合、これらの編集設定を取り消すと共に、編集機能ｂによる編集設定を再度行う。
【００６５】
そして、作成した印刷データの印刷を行うときには、データ作成装置２は、接続された複数の印刷装置３から印刷に用いる印刷装置３をユーザに選択させ、選択された印刷装置３に印刷データの送信を行う。このとき、印刷データに（ユーザが選択した印刷装置３の）非サポート編集機能が含まれている場合には、上述した印刷データの変換方法に倣って印刷データの変換を行う。また、データ作成装置２には、作成した印刷データに基づいて印刷装置３を自動選択して、印刷データを送信する自動選択モードが備えられている。自動選択モードでは、印刷データの作成に用いられた（個別）編集機能が検索され、接続した複数の印刷装置３から、検索した全ての編集機能をサポートする印刷装置３を選択される。但し、検索した全ての編集機能をサポートする印刷装置３が無い場合には、ユーザによる印刷装置３の選択にモード切替される。
【００６６】
なお、データ作成装置２では、入力データの入力・編集時に、接続可能な複数の印刷装置３から印刷に用いる印刷装置３を予め選択設定可能となっている。印刷に用いる印刷装置３が設定されると、設定された印刷装置３に合わせ、直ちに編集機能の制限や印刷データの変換が行わる。そして、印刷装置３の設定後、新たに印刷装置３を接続しても、上述した一連の動作は行われないようになっている。
【図面の簡単な説明】
【００６７】
【図１】本発明の一実施形態に係る印刷システムの構成を示した説明図である。
【図２】印刷システムを構成するデータ作成装置の装置構成を示すブロック図である。
【図３】データ作成装置の入力編集画面の一例を示した説明図である。
【図４】印刷システムを構成する印刷装置として、適用可能なテーププリンタを例示した説明図であり、テーププリンタの外観斜視図を示している。
【図５】テーププリンタの説明図であり、テーププリンタに装着するテープカートリッジの外観斜視図と、開閉蓋を開放した時のテーププリンタの外観斜視図である。
【図６】テーププリンタの制御系のブロック図である。
【図７】データ作成装置（印刷システム）に印刷装置を接続したときに行われる、非サポート編集機能の使用制限から印刷データの変換に至る一連の処理を示したフローチャートである。
【図８】印刷システムの個別編集機能に、機種情報を対応させたデータベースの内容を示したものであり、（ａ）は、「文字」設定機能の塗りつぶしにより設定される「透明」塗りつぶし機能および「パターン」塗りつぶし機能、文字設文字の「グラデーション」設定機能に関する図、（ｂ）は、図形の塗りつぶしに属する「グラデーション」設定機能に関する図、（ｃ）は、「地紋」設定機能に関する図、（ｄ）は、余白設定リストボックスに表示される各余白設定機能に関する図である。
【図９】個別編集機能を構成する各編集機能に設定された代替編集機能を示したものであり、印刷データの変換に関する説明図である。（ａ）は、文字や図形の入力データに対して、非サポート編集機能から代替される代替編集機能を示した図であり、（ｂ）は、ラベルの作成時に設定される余白に対して、非サポート編集機能から代替される代替編集機能を示した図である。
【図１０】非サポート編集機能の使用制限に関する説明図であり、（ａ）は、テーププリンタａが接続されたときに表示される文字設定画面、（ｂ）は、テーププリンタｂが接続されたときに表示される文字設定画面を示した図である。
【図１１】非サポート編集機能の使用制限に関する説明図である。（ａ）および（ｂ）は、図形の塗りつぶしを設定するリストボックスに表示される編集機能を示したものであり、（ａ）は、テーププリンタａを接続したとき、（ｂ）は、テーププリンタｂを接続したときの表示を示した図である。また、（ｃ）および（ｄ）は、余白設定リストボックスに表示される編集機能を示したものであり、（ａ）は、テーププリンタａを接続したとき、（ｂ）は、テーププリンタｂを接続したときの表示を示した図である。
【図１２】入力編集画面上に表示されるキャンセル確認画面を例示した説明図である。
【符号の説明】
【００６８】
１  印刷システム                    ２  データ作成装置
３  印刷装置                      １１  ＵＳＢインタフェース
１４  ＣＰＵ                        １３  ハードディスク
１９  モニタディスプレイ            ２１  入力編集画面
９１  機種情報取得手段              ９２  非サポート編集機能検出手段
９３  非サポート編集機能特定手段    ９４  編集機能制限手段
９５  入力データ検出手段
９６  非サポート編集機能使用検出手段
９７  編集キャンセル手段            ９８代替機能設定手段
９９  キャンセル確認画面
１２３  データ供給インタフェース（ＤＳ−ＩＦ）
【図１】
2005092397.tif 000003
【図２】
2005092397.tif 000004
【図３】
2005092397.tif 000005
【図４】
2005092397.tif 000006
【図５】
2005092397.tif 000007
【図６】
2005092397.tif 000008
【図７】
2005092397.tif 000009
【図８】
2005092397.tif 000010
【図９】
2005092397.tif 000011
【図１０】
2005092397.tif 000012
【図１１】
2005092397.tif 000013
【図１２】
2005092397.tif 000014